(57)【要約】【課題】印刷面を有するシート１枚で相互利用できる電子マネーカード、ＩＣカード及びＩＤカード２枚以上のカードを同時に使用できること及び電磁波のスキミングや誤作動の防止を可能とする。また前記カード面にセロハンテープあるいは糊等の接着材を使用しないで前記カード２枚以上が１枚カードとして利用でき１枚シートとして収納可能な印刷物シートを提供することである。【解決手段】アルミ箔、アルミ紙、アルミニュームからなる金属あるいはアルミニュームを含む樹脂から構成されている両印刷面を有するシートにおいて、この印刷面の両面にカードとシートが一体化する吸着層を磁気シールド範囲の内部と磁気シールド範囲の外部に設けておけばよい。【選択図】図２
2009029094.tif 000002
【特許請求の範囲】
【請求項１】
アルミ箔、アルミ紙、アルミニュームからなる金属あるいはアルミニュームを含む樹脂から構成されている両印刷面を有するシートにおいて、前記印刷面の両外部に吸着層を有することを特徴とする吸着シート
【請求項２】
アルミ箔、アルミ紙、アルミニュームからなる金属あるいはアルミニュームを含む樹脂から構成されている両印刷面を有するシートにおいて、前記印刷面の片側に厚紙、段ボール、樹脂または発泡樹脂を有し両印刷面の外側に吸着層を有することを特徴とする吸着シート
【請求項３】
前記吸着層の外側には吸着層を保護する剥離層を有することを特徴とする特許請求の範囲第１あるいは２項記載の吸着シート
【請求項４】
前記シートは電子マネーカード、ＩＣカード及びＩＤカードの平滑面に貼ることを目的としていることを特徴とする特許請求の範囲第１あるいは２項記載の吸着シート
【請求項５】
前記吸着層は透明であることを特徴とする特許請求の範囲第１あるいは２項記載の吸着シート
【発明の詳細な説明】
【技術分野】
【０００１】本発明は面に貼るシートに関する。
【背景技術】
【０００２】相互利用できる電子マネーカード、ＩＣカード及びＩＤカード２枚での同時利用ができなかった。前記カード２枚での同時利用は誤作動の原因になるために別々に利用及び収納していた。前記カードは財布等に電磁波遮断材を挟んで、あるいはスキミングや誤作動の防止に電磁波遮断袋あるいはケース等に収納し個々に取りだし利用していた。【０００３】しかしながら１枚シートで相互利用できる電子マネーカード、ＩＣカード及びＩＤカード２枚での同時利用ができ、前記カードを貼ることで一体化し印刷物として見ること及び利用と収納が可能な印刷物シート、ならびにスキミングや誤作動を防止する印刷物シートは存在していなかった。
【発明の開示】
【発明が解決しようとする課題】
【０００４】本発明は、上記の点に鑑みなされたものであり、１枚シートで相互利用できる２枚以上のカードを同時に使用できること及び電磁波のスキミングや誤作動の防止を可能とする。また前記カード面にセロハンテープあるいは糊等の接着材を使用しないで前記カード２枚以上が１枚カードとして利用でき１枚シートとして収納可能な印刷物シートを提供することである。
【課題を解決するための手段】
【０００５】前述の課題を解決するために本発明者は鋭意研究の結果以下の手段をとった。すなわちアルミ箔、アルミ紙、アルミニュームからなる金属あるいはアルミニュームを含む樹脂から構成されている両印刷面を有するシートにおいて、この両印刷面の外部に吸着層を設けておけばよい。【０００６】前記シートは低電磁波を遮断する磁気シールド範囲を有するため、相互利用できる電子マネーカード、ＩＣカード及びＩＤカードと前記シートが一体化する印刷面と吸着層を磁気シールド範囲の内部に設けておけばよい。【０００７】あるいは前記シートは低電磁波を遮断する磁気シールド範囲を有するため、相互利用できる電子マネーカード、ＩＣカード及びＩＤカードと前記シートが一体化する印刷面と吸着層を磁気シールド範囲の外部に設けておけばよい。【０００８】この両吸着層は透明であれば吸着層を通しても印刷面を見ることが可能となる。【０００９】また両吸着層の外側には必要に応じて吸着層を保護する剥離層を設けておき利用目的に応じ貼る際にこの剥離層をはがせばよい。【００１０】両面に吸着層を有するシートにおいて、相互利用できる電子マネーカード、ＩＣカード及びＩＤカードを前記シートのそれぞれの剥離層をはがし、使用しないカード１枚は磁気シールド範囲内部に設けた吸着層に、使用する２枚目のカードは磁気シールド範囲外部に設けた吸着層に貼って、よってシートは相互利用できる電子マネーカード、ＩＣカード及びＩＤカードの平滑面に貼ることを目的としているので１枚のシートで同一機能のカードを２枚同時に使うことが可能となる。【００１１】アルミ箔、アルミ紙、アルミニュームからなる金属あるいはアルミニュームを含む樹脂から構成されている両印刷面を有するシートにおいて、この両印刷面の外側に磁気シールド部と磁気透過部を設けておきさらに前記各部の範囲内外に透明吸着層を設けておけば、印刷物を見ること及び相互利用できる電子マネーカード、ＩＣカード及びＩＤカード２枚同時に使用することが可能となる。そしてこの両吸着層の外側には吸着層を保護する剥離層を設けておけば前述と同様に貼る際にこの剥離層をはがせばよい。
【発明の効果】
【００１２】以上述べたよう本発明によれば、１枚のシートで相互利用できる電子マネーカード、ＩＣカード及びＩＤカードを２枚同時に使うことが可能であり、カード２枚以上が１枚カードとして収納可能であり電磁波の誤作動防止や電磁波のスキミング防止及び印刷物として効果を奏する。
【発明を実施するための最良の形態】
【００１３】以下に実施例を示す。
【実施例】
【００１４】以下さらに図に基づいてさらに詳しく説明していく。図１のＡは本発明シートＸである。その１例でありその断面を示している。２が両面に印刷面を有するシートであって金属のアルミ箔で構成され電磁波シールド部を備えている。１と１ａは印刷面であって画像や文字が印刷される。【００１５】３と３ａは吸着層でカードを貼り付けるための透明層である。４と４ａは印刷されたアルミ箔面と吸着層の面を一体化するため貼り付ける接着層である。５と５ａは吸着層を保護するための層であり、カードを貼り合わせする前に剥がす剥離層である。【００１６】図２のＢは本発明シートＺである。その１例でありその断面を示している。ここで２が片面に印刷面を有するシートであって金属のアルミ箔で構成され、電磁波シールド部を備えている。１と１ａは印刷面であって画像や文字が印刷される。【００１７】６は電磁波を透過させるさせるための発泡樹脂である。３と３ａはカードを貼り付ける吸着層であり透明層でもある。４、４ａ、４ｂは前記のアルミ箔及び発泡樹脂の各面と吸着層の各面を貼り付ける接着層である。５、５ａは吸着層を保護するための層であって貼り合わせする前に剥がす剥離層である。【００１８】図３のＤはカードＰでＣがカードＳで相互利用できるカードである。Ｇが本発明シートＸの剥離層を剥がしてカードＰを下部に貼り付け上部にカードＳを貼りかけたシートＸの電磁波シールド範囲の断面である。【００１９】図４のＥがゲートの開閉と連動する端末面であり、Ｆが端末より発する電磁波の進路でありＦ１、Ｆ２が電磁波シールド範囲部に阻まれた電磁波の進路である。図３において２枚のカードと一体化したシートを、端末面にかざした時の電磁波シールド範囲及び電磁波進路の断面を示している。【００２０】上記２枚のカードは端末に認識されず反応しない、ゲートを通過する時はシートより使用するカード１枚を剥がして使用し通過した後、元のシートに貼り１枚シートとして収納する。よってスキミングや誤作動の防止を可能とする。【００２１】図５のＢは本発明シートＺであり。ＤはカードＰでＣがカードＳで相互利用できるカードである。Ｇが本発明シートＺの剥離層を剥がしてカードＰを下部に貼り付け上部にカードＳを貼りかけたシートＺの電磁波シールド範囲の断面である。【００２２】図６のＢは本発明シートＺであり。Ｅがゲートの開閉と連動する端末面であり、Ｆが端末より発する電磁波であり、Ｆ１が端末に認知されたカードＰからの電磁波の進路である。図５において２枚のカードと一体化したシートを、端末面にかざした時の電磁波シールド範囲及び電磁波進路の断面を示している。【００２３】上記電磁波シールド範囲外部に位置するカードＰが反応し認識されたことによってゲートを通過することが可能となる。【００２４】図７のＨは比較線であり、その線の上部の構成はＡとＢは共通であり、下部は共通の構成を除いたＡ１が本発明シートＸ、Ｂ１が本発明シートＺの断面である。比較線は電磁波シールド範囲の比較と遮断部と透過部の位置の比較断面を示している。
【産業上の利用可能性】
【００２５】以上説明した構造によれば、印刷面を有する１枚のシートで相互利用できる電子マネーカード、ＩＣカード及びＩＤカード２枚での同時利用ができ、電磁波の透過と遮蔽が可能であり、必要に応じてどちらの面にも貼り剥がし可能となる印刷面を有するシートの用途が広がるものである。
【図面の簡単な説明】
【００２６】
【図１】両面吸着層及び電磁波シールド部を持つ本発明のアルミ箔シート
【図２】両面吸着層及び電磁波遮蔽と発泡樹脂からなる透過部を持つ本発明のアルミ箔シート
【図３】１枚目のカードを貼って２枚目のカードを貼りかけた様子
【図４】端末面にかざした様子
【図５】１枚目のカードを貼って２枚目のカードを貼りかけた様子
【図６】端末面にかざした様子
【図７】電磁波シールド範囲の比較
【符号の説明】
【００２７】１、１ａ    印刷面
２    アルミ箔
３、３ａ    吸着層
４、４ａ、４ｂ    接着層
５、５ａ    剥離層
６    発泡樹脂
Ａ、Ａ１    本発明のシートＸ
Ｂ、Ｂ１    本発明のシートＺ
Ｃ    カードＳ
Ｄ    カードＰ
Ｅ    端末
Ｆ、Ｆ１、Ｆ２    電磁波
Ｇ    電磁波シールド範囲
Ｈ    比較線
【図１】
2009029094.tif 000003
【図２】
2009029094.tif 000004
【図３】
2009029094.tif 000005
【図４】
2009029094.tif 000006
【図５】
2009029094.tif 000007
【図６】
2009029094.tif 000008
【図７】
2009029094.tif 000009